【事件の表示】
　特許第３００２６２８号「スイッチング電源」の請求項１に係る特許に対する特許異議の申立てについて、次のとおり決定する。
【結　論】
　訂正を認める。
　特許第３００２６２８号の請求項１に係る特許を取り消す。
【理　由】
（Ａ）手続の経緯
　本件第３００２６２８号特許は、平成６年８月２６日に出願され、平成１１年１１月１２日に登録がなされた。その後、大津正裕より特許異議の申立がなされ、取消理由通知がなされ、その指定期間内である平成１２年１２月１２日に訂正請求がなされた。
　
（Ｂ）訂正請求の適否
　訂正請求の概要は
訂正事項ａとして、原明細書の請求項１に係る発明
「直流電源と、この直流電源に接続した出力トランスと、この出力トランスの１次巻線に接続した半導体スイッチング素子と、前記出力トランスの駆動巻線を含み、前記半導体スイッチング素子をオン、オフ駆動するスイッチング素子駆動回路と、オン動作により前記半導体スイッチング素子をオフ制御する制御用トランジスタと、この制御用トランジスタのベースと前記駆動巻線の正電圧出力端子との間に接続し、前記出力トランスの２次巻線に接続した２次側回路に過電流が流れたとき導通すろ過電流保護主回路と、この過電流保護主回路に並列に接続し、前記出力トランスの端子電圧が所定レベル以上になったとき導通する過電流保護補助回路と、前記制御用トランジスタのベース・エミッタ間に接続したコンデンサと抵抗の直列回路とを設けたことを特徴とするスイッチング電源。」を
「直流電源と、この直流電源に接続した出力トランスと、この出力トランスの１次巻線に接続した半導体スイッチング素子と、前記出力トランスの駆動巻線を含み、前記半導体スイッチング素子をオン、オフ駆動するスイッチング素子駆動回路と、オン動作により前記半導体スイッチング素子をオフ制御する制御用トランジスタと、この制御用トランジスタのベースと前記駆動巻線の正電圧出力端子との間に接続し、前記出力トランスの２次巻線に接続した２次側回路に過電流が流れたとき導通すろ過電流保護主回路と、この過電流保護主回路に並列に接続し、前記出力トランスの端子電圧が所定レベル以上になったとき導通する抵抗とツェナダイオードの直列回路からなる過電流保護補助回路と、前記制御用トランジスタのベース・エミッタ間に接続したコンデンサと抵抗の直列回路とを設けたことを特徴とするスイッチング電源。」
と訂正し、訂正事項ｂ乃至ｄで、誤記の訂正をするものである。
　上記訂正事項ａは、本件請求項１に係る発明の過電流保護補助回路が「抵抗とツェナダイオードの直列回路からなる」とするものであり特許請求の範囲の減縮であり、また、訂正事項ｂ乃至ｄは誤記の訂正であるから、本件訂正は特許法第１２０条の４第２項及び同条第３項で準用する第１２６条第２、３項の規定に適合するので、当該訂正を認める。
　
（Ｃ）取消理由及び異議申立
 (C-1)引用刊行物
　異議申立の甲第１号証として提出され、当審が取消理由通知において引用した、実用電源回路設計ハンドブック（戸川治郎著　1988年5月20日発行（1994年7月10日　第11版）（ＣＱ出版株式会社））140頁〜147頁（以下「引用刊行物」と言う）には、図３−５７に示されるスイッチング電源の回路として、
　ＡＣ入力と全波整流ダイオードブリッジからなる直流電源と、１次巻線（ＮP）と駆動巻線（ＮB）と出力用の２次巻線（Ｎ5）とを備えたトランス（トランスEI40）とを有し、
　トランス（トランスEI40）の１次巻線（ＮP）にはスイッチング素子（上側トランジスタ）が接続され、
　出力トランスの駆動巻線（ＮB）にはスイッチング素子（上側トランジスタ）をオンオフ駆動するスイッチング素子駆動回路（ダイオード（EU2）とコンデンサ（0.047μ）と抵抗（5.6Ω）とからなる回路）が接続されており、
　制御用トランジスタ（下側トランジスタ）はオン動作により前記半導体スイッチング素子（上側トランジスタ）をオフ制御し、
　ダイオード（1S953）と抵抗（220Ω抵抗）とフォトカブラ（TLP521-1）とからなる過電流保護主回路を設けられ、
　過電流保護主回路にはツェナーダイオード（RD3.0EB）と抵抗（470Ω抵抗）からなる過電流保護補助回路が設けられており、
　制御用トランジスタ（下側トランジスタ）のベース・エミッタ間にはコンデンサ（0.1μ）と抵抗（RSHO）の直列回路が設けられた、電源回路が示されている。
　上記記載から引用刊行物には
「直流電源と、この直流電源に接続した出力トランス（トランスEI40）と、この出力トランスの１次巻線（ＮP）に接続した半導体スイッチング素子（上側トランジスタ）と、前記出力トランスの駆動巻線（ＮB）を含み、前記半導体スイッチング素子をオン、オフ駆動するスイッチング素子駆動回路（ダイオード（EU2）とコンデンサ（0.047μ）と抵抗（5.6Ω）とからなる回路）と、オン動作により前記半導体スイッチング素子をオフ制御する制御用トランジスタ（下側トランジスタ）と、この制御用トランジスタのベースと前記駆動巻線の正電圧出力端子との間に接続し、前記出力トランスの２次巻線（Ｎ5）に接続した２次側回路に過電流が流れたとき導通すろ過電流保護主回路（ダイオード（1S963）と抵抗（220Ω抵抗）とフォトカブラ（TLP521-1）とからなる回路）と、この過電流保護主回路に並列に接続し、前記出力トランスの端子電圧が所定レベル以上になったとき導通する抵抗（470Ω抵抗）とツェナダイオード（RD3.0EB）の直列回路からなる過電流保護補助回路と、前記制御用トランジスタのベース・エミッタ間に接続したコンデンサ（0.1μ）と抵抗（RSHO）の直列回路とを設けたことを特徴とするスイッチング電源。」
が記載されていることになり、これは本件訂正された請求項１記載の発明と同一である。
　
　なお、特許権者は平成１２年１２月１２日付け特許異議意見書で、
「刊行物１に記載の発明は、本件特許の「この過電流保護主回路に並列に接続し、前記出力トランスの端子電圧が所定レベル以上になったとき導通する抵抗とツェナダイオードの直列回路からなる過電流保護補助回路」に相当する回路に「1.5ｋの抵抗と0.1μのコンデンサの直列回路」が並列に接続されており、本件特許の「前記制御用トランジスタのベース・エミッタ間に接続したコンデンサと抵抗の直列回路」に相当する回路において、1ｋの抵抗が0.1μのコンデンサに並列に接続されている回路が必須の構成となっている。
刊行物１に記載の発明において、「1.5ｋの抵抗と0.1μのコンデンサの直列回路」を設けた理由は、刊行物１第143頁に記載されているように、入力電圧が上昇したときに「1.5ｋの抵抗と0.1μのコンデンサの直列回路」を介して電流を過電流検出用トランジスタＴｒ２のベースに流すことにより、過電流検出用トランジスタＴｒ２をオンし易くするためである。
　さらに、刊行物１の発明においては、0.1μのコンデンサの放電ルート及び充電ルートを確保するために1ｋの抵抗を0.1μのコンデンサに並列に接続している。
　このように、「1.5ｋの抵抗と0.1μのコンデンサの直列回路」を設けることや、「1ｋの抵抗」を接続することは単なる設計事項ではなく、刊行物１の必須の構成である。」とし、「本件特許においては、この過電流保護主回路に並列に接続し、前記出力トランスの端子電圧が所定レベル以上になったとき導適する抵抗とツェナダイオードの直列回路からなる過電流保護補助回路」には刊行物１記載のような「1.5ｋの抵抗と0.1μのコンデンサの直列回路」を並列に接続していない。
　さらに、本件特許のコンデンサ２７に刊行物１記載のような1ｋの抵抗は並列に接続されていない」と主張している。
　しかし本件請求項１の記載では、過電流保護補助回路を「この過電流保護主回路に並列に接続し、前記出力トランスの端子電圧が所定レベル以上になったとき導通する抵抗とツェナダイオードの直列回路からなる過電流保護補助回路」とし、制御用トランジスタのベース・エミッタ間の直列回路を「制御用トランジスタのベース・エミッタ間に接続したコンデンサと抵抗の直列回路」と規定するのみで、これら記載以外「過電流保護補助回路」及び「ベース・エミッタ間の直列回路」の構成を特定する記載は存在しない。特許権者の「本件特許においては、「この過電流保護主回路に並列に接続し、前記出力トランスの端子電圧が所定レベル以上になったとき導適する抵抗とツェナダイオードの直列回路からなる過電流保護補助回路」には刊行物１記載のような「1.5ｋの抵抗と0.1μのコンデンサの直列回路」を並列に接続していない。さらに、本件特許のコンデンサ２７に刊行物１記載のような1ｋの抵抗は並列に接続されていない。」との主張は本件請求項１の記載に基づかないものでのものである。
　また、引用刊行物１記載のものにおいては、「過電流保護主回路に並列に接続し、出力トランスの端子電圧が所定レベル以上になったとき導通する抵抗とツェナダイオードの直列回路からなる過電流保護補助回路に相当する回路に接続された「1.5ｋの抵抗と0.1μのコンデンサの直列回路」」及び「御用トランジスタのベース・エミッタ間に接続したコンデンサと抵抗の直列回路の「0.1μのコンデンサに接続された1ｋの抵抗」」は必須の構成であるとの主張に関して、「1.5ｋの抵抗と0.1μのコンデンサの直列回路」は「過電流検出用トランジスタＴｒ２をオンし易くするため」のものであり、「0.1μのコンデンサに接続された1ｋの抵抗」は「0.1μのコンデンサの放電ルート及び充電ルートを確保するため」のものである。即ち、これら回路は保護動作の応答特性の向上を目的としたものである。これら回路は保護動作に必要とする応答特性に応じて適宜取捨すれば良いものであり、必須の構成でないことは明かである。
　
（Ｃ）結び
　以上の通り、本件請求項１に係る発明は、引用刊行物に記載された発明と同一であり、特許法第２９条第１項第３号に該当し、特許法第１１３条第２号の規定により取り消すべきものである。
【異議決定日】
平成１２年１２月２５日（２０００．１２．２５）
【訂正の要旨】
訂正の要旨
ａ．特許請求の範囲の請求項１を
「直流電源と、この直流電源に接続した出力トランスと、この出力トランスの１次巻線に接続した半導体スイッチング素子と、前記出力トランスの駆動巻線を含み、前記半導体スイッチング素子をオン、オフ駆動するスイッチング素子駆動回路と、オン動作により前記半導体スイッチング素子をオフ制御する制御用トランジスタと、この制御用トランジスタのベースと前記駆動巻線の正電圧出力端子との問に接続し、前記出力トランスの２次巻線に接続した２次側回路に過電流が流れたとき導通すろ過電流保護主回路と、この過電流保護主回路に並列に接続し、前記出力トランスの端子電圧が所定レベル以上になったとき導通する抵抗とツェナダイオードの直列回路からなる過電流保護補助回路と、前記制御用トランジスタのベース・エミッタ間に接続したコンデンサと抵抗の直列回路とを設けたことを特徴とするスイッチング電源。」
と訂正する。
ｂ．明細書の段落【０００７】を
「この過電流保護補助回路２６は、上記過電流保護主回路２２が２次側の出力情報をフォトカプラ２５を介して伝達するため、この過電流保護主回路２２だけでは電流が足りず、制御用ＮＰＮトランジスタ２１をオンできない可能性があり、これを補う目的で設けられたものである。具体的には、過電流保護補助回路２６は、抵抗２８と図示極性で接続したツェナダイオード２９とを直列に接続して構成される。」
と訂正する。
ｃ．明細書の段落【００１０】を
「上記過電流保助回路２２は、出力トランス１７の２次側に接続した負荷１２に過電流が流れたとき、外部からの制御信号に基づいて駆動巻線１７ｂの正電圧出力端子と制御用ＮＰＮトランジスタ２１のベースとの間を導通するようになっている。」
と訂正する。
ｄ．明細書の段落【００１１】を
「これに対し、過電流保護補回路２６は、出力トランス１７の端子電圧が所定レベル以上になったとき、外部からの制御信号に基づいて駆動巻線１７ｂの正電圧出力端子と制御用ＮＰＮトランジスタ２１のベースとの間を導通するようになっている。」
と訂正する。
（５４）【発明の名称】
スイッチング電源
（５７）【特許請求の範囲】
　【請求項１】　直流電源と、この直流電源に接続した出力トランスと、この出力トランスの１次巻線に接続した半導体スイッチング素子と、前記出力トランスの駆動巻線を含み、前記半導体スイッチング素子をオン、オフ駆動するスイッチング素子駆動回路と、オン動作により前記半導体スイッチング素子をオフ制御する制御用トランジスタと、この制御用トランジスタのベースと前記駆動巻線の正電圧出力端子との間に接続し、前記出力トランスの２次巻線に接続した２次側回路に過電流が流れたとき導通する過電流保護主回路と、この過電流保護主回路に並列に接続し、前記出力トランスの端子電圧が所定レベル以上になったとき導通する
抵抗とツェナダイオードの直列回路からなる
【発明の詳細な説明】
　【０００１】
　【産業上の利用分野】
　本発明は、直流電源を必要とする電子機器のスイッチング電源に関する。
　【０００２】
　【従来の技術】
　従来、この種のスイッチング電源としては、図３に示すようなＲＣＣ（リンギング・チョークコイル・コンバータ）方式の周波数変動型のものが知られている。このスイッチング電源は、交流電源１にスイッチ２及びノイズフィルタ回路３を介して全波整流ダイオードブリッジ４、平滑コンデンサ５を接続してなる直流電源１３の平滑コンデンサ５に高周波発振回路６を接続し、その高周波発振回路６の出力端子にダイオード７、平滑コンデンサ８、安定化回路９からなる整流定電圧回路１０を接続し、この整流定電圧回路１０の出力端にコンデンサ１１を介して電子機器等の負荷１２を接続して構成される。
　【０００３】
　前記高周波発振回路６は、出力トランス１７、この出力トランス１７の１次巻線１７ｐに直列に接続した半導体スイッチング素子としてのＮＰＮトランジスタ１８、この駆動巻線１７ｂの正電圧出力端子とトランジスタ１８のベースとの間に接続して上記トランジスタ１８のオン・オフ制御を行うスイッチング素子駆動回路としてのトランジスタ駆動回路１９を備える。
　【０００４】
　また、高周波発振回路６は、出力トランス１７の駆動巻線１７ｂに接続した制御用ＮＰＮトランジスタ２１、前記負荷１２に過電流が流れたとき駆動巻線１７ｂの正電圧出力端子と上記制御用ＮＰＮトランジスタ２１のベースとの間に接続した過電流保護主回路２２を備えている。
　【０００５】
　この過電流保護主回路２２は、具体的には図示極性に接続したダイオード２３、抵抗２４、及びフォトカプラ２５の受光素子とを直列に接続して構成される。このフォトカプラ２５の受光素子は、フォトカプラ２５の発光素子の２次側の出力情報に基づくオン・オフ制御に応じて駆動するようになっている。
　【０００６】
　さらに、高周波発振回路６は、この過電流保護主回路２２に並列に接続した過電流保護補助回路２６、前記制御用ＮＰＮトランジスタ２１のベース・エミッタ間に接続したコンデンサ２７を備える。
　【０００７】
　この過電流保護補助回路２６は、上記過電流保護主回路２２が２次側の出力情報をフォトカプラ２５を介して伝達するため、この過電流保護主回路２２だけでは電流が足りず、制御用ＮＰＮトランジスタ２１をオンできない可能性があり、これを補う目的で設けられたものである。具体的には、過電流保護補助回路
２６
　【０００８】
　上記トランジスタ駆動回路１９は、具体的には出力トランス１７の駆動巻線１７ｂと、この駆動巻線１７ｂの正電圧出力端子にコンデンサ３１を並列に介して図示極性で接続したダイオード３２と、一対の抵抗３３，３４とを直列に接続して構成される。図示極性で接続したダイオード３２と、一対の抵抗３３，３４とを直列に接続して構成される。図示極性で接続したダイオード３２と、一対の抵抗３３，３４とを直列に接続して構成される。
　【０００９】
　このようなスイッチング電源では、スイッチ２がオンされると、高周波発振回路６に全波整流ダイオードブリッジ４からの電圧が印加され、高周波発振回路６からの出力は整流定電圧回路１０で整流され、安定化されて負荷１２に印加する。
　【００１０】
　上記過電流保護主回路２２は、出力トランス１７の２次側に接続した負荷１２に過電流が流れたとき、外部からの制御信号に基づいて駆動巻線１７ｂの正電圧出力端子と制御用ＮＰＮトランジスタ２１のベースとの間を導通するようになっている。
　【００１１】
　これに対し、過電流保護補助回路
２６
　【００１２】
　【発明が解決しようとする課題】
　しかし、このようなスイッチング電源においては、ＲＣＣ方式を採るので、出力負荷電流が大きいときは、高周波発振回路６からの発振周波数が減少し、制御ＮＰＮトランジスタ２１のベース・エミッタ間に印加する電圧も図４（ａ）に示すように（定格負荷時）比較的大きな電圧となるが、出力負荷電流が小さいときは発振周波数が増加し、制御用ＮＰＮトランジスタ２１のベース・エミッタ間に印加する電圧も同図４（ｂ）に示すように比較的小さな電圧となるという性質がある。
　【００１３】
　このため、過電流保護補助回路２６を設けても、出力負荷電流が小さくなればなるほど、発振周波数が増加し、制御用ＮＰＮトランジスタ２１の応答速度の限界を越えるようになってしまうことがある。このような場合には、図４（ｂ）に示すようにコンデンサ２７の時定数によりそのベース・エミッタ間に印加する電圧が制御用ＮＰＮトランジスタ２１の駆動電圧、例えば０．６Ｖに上昇するまでに０．４Ｖで下降してしまい、これでは制御用ＮＰＮトランジスタ２１がオンしなくなり、過電流保護補助回路２６も正常に働かない場合が生じるという問題があった。
　【００１４】
　また、ＲＣＣ方式は一般に電力伝達であるため、定格負荷であっても、入力電圧が大きいほど高周波発振回路６からの発振周波数が増加するようになる。このため、電圧の大きさによって、負荷１２に流れるピーク電流に差が生じてしまう。具体的には例えば図５に示すように、入力電圧が大きい場合の実線で示す特性グラフｘ１のピーク電流入力と、入力電圧が小さい場合の点線で示す特性グラフｘ２のピーク電流との差Ａが生じるようになる。これにより、入力電圧の大きさによって過電流の検出点のずれが大きくなってしまうという問題があった。
　【００１５】
　そこで本発明は、軽負荷であっても過電流保護補助回路も正常に働かせることができ、かつ入力電圧が変動による過電流検出点のずれを減少することができるスイッチング電源を提供しようとするものである。
　【００１６】
　【課題を解決するための手段】
　本発明は、直流電源と、この直流電源に接続した出力トランスと、この出力トランスの１次巻線に接続した半導体スイッチング素子と、出力トランスの駆動巻線を含み、半導体スイッチング素子をオン、オフ駆動するスイッチング素子駆動回路と、オン動作により半導体スイッチング素子をオフ制御する制御用トランジスタと、この制御用トランジスタのベースと駆動巻線の正電圧出力端子との間に接続し、出力トランスの２次巻線に接続した２次側回路に過電流が流れたとき導通する過電流保護主回路と、この過電流保護主回路に並列に接続し、出力トランスの端子電圧が所定レベル以上になったとき導通する
抵抗とツェナダイオードの直列回路からなる
　【００１７】
　【作用】
　このような構成の本発明においては、スイッチ２がオンされると、高周波発振回路６に全波整流ダイオードブリッジ４からの電圧が印加され、高周波発振回路６からの出力は整流定電圧回路１０で整流され、安定化されて負荷１２に印加する。
　【００１８】
　この場合、出力負荷が小さいときでも、負荷に過電流が流れた場合に抵抗３１に印加する電圧の分だけ、制御用トランジスタのベース・エミッタ間電圧のピークが大きくなり、この制御用トランジスタの駆動電圧を越えるようになり、制御用トランジスタはオンする。すると、半導体スイッチング素子のオン・オフ駆動が停止する。　【００１９】
　また、出力負荷が小さいときでも、負荷に過電流が流れた場合に抵抗３１に印加する電圧の分だけ多く、コンデンサに蓄電されるため、負荷に流れるピーク電流が出力負荷が大きい場合とほとんど変わらないものとなる。
　【００２０】
　【実施例】
　以下、本発明の実施例を図面を参照して説明する。
　【００２１】
　図１は、本実施例の構成を示す回路図で、図３に示す制御用ＮＰＮトランジスタ２１のベース・エミッタ間にコンデンサ２７と抵抗３１の直列回路を接続した点を除いた基本的な回路構成は同図に示す回路と同様である。
　【００２２】
　このような構成の本実施例においては、スイッチ２がオンされると、高周波発振回路６に全波整流ダイオードブリッジ４からの電圧が印加され、高周波発振回路６からの出力は整流定電圧回路１０で整流され、安定化されて負荷１２に印加する。
　【００２３】
　上記過電流保護補助回路２６は、出力トランス１７の２次側に接続した負荷１２に過電流が流れたとき、これに応じて動作するフォトカプラ２５の発光素子に基づいて受光素子がオンし、駆動巻線１７ｂの正電圧出力端子と制御用ＮＰＮトランジスタ２１のベースとの間とを導通する。
　【００２４】
　このとき、例えばフォトカプラ２５の受光素子に流れる電流が小さい場合には、制御用ＮＰＮトランジスタ２１をオンすることはできないが、この過電流保護主回路２２の両端電圧が所定電圧以上になれば、制御用ＮＰＮトランジスタ２１のベースとの間とを導通し、制御用ＮＰＮトランジスタ２１をオンしてトランジスタ１８のオン・オフ動作を停止することができる。
　【００２５】
　これにより、負荷１２に流れる電流も減少する。また、ある程度減少すると、制御用ＮＰＮトランジスタ２１はオフし、トランジスタ１８のオン・オフ動作が開始する。こうして負荷１２に流れる電流は調整され、安定した電力供給が可能となる。
　【００２６】
　この場合、出力負荷電流が小さくて高周波発振回路６からの発振周波数が多くても、抵抗３１間の電圧の分だけ制御用ＮＰＮトランジスタ２１のベース・エミッタ間に印加する電圧が増加するため、この制御用ＮＰＮトランジスタ２１の駆動電圧を確保することができる。
　【００２７】
　これにより、出力負荷電流が小さい場合でも過電流保護補助回路２６の動作性能をより向上することができる。具体的には、出力負荷電流が流れた場合に調整可能な範囲の精度を従来の±５％から±１％に向上することができる。
　【００２８】
　一方、この場合に、定格負荷であっても、入力電圧が大きいと高周波発振回路６からの発振周波数が大きいのに対し、入力電圧が小さいと発振周波数が小さいため、制御用ＮＰＮトランジスタ２１に流れる電流も少なくなるが、抵抗３１にかかる電圧の分だけ電力源としてコンデンサ２７に電力供給されるため、入力電圧が小さい場合でも、図２に示すように、入力電圧が小さい場合の実線で示す特性グラフｙ１のピーク電流入力は、入力電圧が大きい場合の点線で示す特性グラフｙ２のピーク電流とほとんど変わらないものとなる。
　【００２９】
　このように、入力電圧の大きさに起因する出力負荷電流に生じる差を極力小さくすることができるため、入力電圧の大きさの違いによる過電流の検出点のずれを減少することができ、出力電圧の安定度も向上することができる。
　【００３０】
　なお、本実施例においては、半導体スイッチング素子としてＮＰＮトランジスタ２１を使用するものについて述べたが、必ずしもこれに限定されるものではなく、半導体スイッチング素子としてＦＥＴ（電界効果トランジスタ）を使用するものであってもよい。
　【００３１】
　【発明の効果】
　以上詳述したように本発明によれば、軽負荷であっても過電流保護補助回路も正常に働かせることができ、かつ入力電圧が変動による過電流検出点のずれを減少することができるスイッチング電源を提供できるものである。
【図面の簡単な説明】
　【図１】
　本発明の実施例にかかるスイッチング電源の回路構成図。
　【図２】
　同実施例における出力電圧と出力電流との関係を示す図。
　【図３】
　従来のスイッチング電源の回路構成図。
　【図４】
　図３に示すトランジスタの駆動電圧とベース・エミッタ間電圧との関係を示す図。
　【図５】
　図３に示すスイッチング電源の出力電圧と出力電流との関係を示す図。
　【符号の説明】
　１３…直流電源
　１７…出力トランス
　１７ｐ…１次巻線
　１７ａ…２次巻線
　１７ｂ…駆動巻線
　１８…トランジスタ
　１９…トランジスタ駆動回路
　２１…制御用トランジスタ
　２２…過電流保護主回路
　２６…過電流保護補助回路
　２７…コンデンサ
　３１…抵抗